(57)【特許請求の範囲】
【請求項１】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、外部画像入力機器から入力された画像データを一旦記憶する記憶手段と、転送すべき画像データが記憶手段に蓄えられたことをコマンドデータ化する符号化手段と、受信された伝送信号中でＩＤ設定手段の設定値に応じた所定の位置のデータをコマンドデータまたは記憶手段に記憶されている画像データに置き換えるデータ信号置換手段と、転送すべき画像データが記憶手段に蓄えられた状況下で受信された伝送信号中のＩＤアドレスデータのＩＤデータがＩＤ設定範囲外の所定の値であった場合はデータ信号置換手段により前記所定の位置のデータをコマンドデータに置き換えた伝送信号を、比較手段の比較結果が一致の場合は前記所定の位置のデータを記憶手段に記憶されている画像データに置き換えた伝送信号を、それ以外のＩＤアドレスデータの場合は受信された伝送信号をそのまま、送信する伝送信号送信手段とを具備することを特徴とする画像入力伝送ユニット。
【請求項２】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、比較手段の比較結果が一致した時のみ描画処理を行なう記憶性を有する画像表示手段と、操作ボタン等の操作手段と、操作手段の操作内容をコマンドデータ化する符号化手段と、受信された伝送信号中でＩＤ設定手段の設定値に応じた所定の位置のデータをコマンドデータに置き換えるデータ信号置換手段と、受信された伝送信号中のＩＤアドレスデータのＩＤデータがＩＤ設定範囲外の所定の値であった場合はデータ信号置換手段により前記所定の位置のデータをコマンドデータに置き換えた伝送信号を、それ以外のＩＤアドレスデータの場合は受信された伝送信号をそのまま、送信する伝送信号送信手段とを具備することを特徴とする画像表示装置。
【請求項３】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、画像取り込み手段と、画像取り込み手段で取り込んだ画像データを一旦記憶する記憶手段と、転送すべき画像データが記憶手段に蓄えられたことをコマンドデータ化する符号化手段と、受信された伝送信号中でＩＤ設定手段の設定値に応じた所定の位置のデータをコマンドデータまたは記憶手段に記憶されている画像データに置き換えるデータ信号置換手段と、転送すべき画像データが記憶手段に蓄えられた状況下で受信された伝送信号中のＩＤアドレスデータのＩＤデータがＩＤ設定範囲外の所定の値であった場合はデータ信号置換手段により前記所定の位置のデータをコマンドデータに置き換えた伝送信号を、比較手段の比較結果が一致の場合は前記所定の位置のデータを記憶手段に記憶されている画像データに置き換えたデータ信号を、それ以外のＩＤアドレスデータの場合は受信された伝送信号をそのまま、送信する伝送信号送信手段とを具備することを特徴とする画像入力装置。
【請求項４】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、受信された伝送信号中の判別信号を比較手段の比較結果が一致の場合はＩＤアドレスデータであることを示す信号に置き換え、不一致の場合はＩＤアドレスデータであることを隠す信号に置き換える判別信号置換手段と、判別信号置換手段の出力と受信された伝送信号中のデータ信号とを記憶性を有する画像表示手段に送出する伝送信号出力手段と、操作ボタン等の操作手段と、操作手段の操作内容をコマンドデータ化する符号化手段と、受信された伝送信号中のデータ空きスペースにＩＤ設定手段の設定値とコマンドデータを付加するデータ信号置換手段と、受信された伝送信号中のＩＤアドレスデータのＩＤデータがＩＤ設定範囲外の所定の値であった場合はデータ信号置換手段により前記データ空きスペースにＩＤ設定手段の設定値とコマンドデータを付加した伝送信号を、それ以外のＩＤアドレスデータの場合は受信された伝送信号をそのまま、送信する伝送信号送信手段とを具備することを特徴とする分岐伝送ユニット。
【請求項５】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、外部画像入力機器から入力された画像データを一旦記憶する記憶手段と、転送すべき画像データが記憶手段に蓄えられたことをコマンドデータ化する符号化手段と、受信された伝送信号中のデータ空きスペースにＩＤ設定手段の設定値とコマンドデータまたは記憶手段に記憶されている画像データを付加するデータ信号置換手段と、転送すべき画像データが記憶手段に蓄えられた状況下で受信された伝送信号中のＩＤアドレスデータのＩＤデータがＩＤ設定範囲外の所定の値であった場合は受信された伝送信号中の前記データ空きスペースにデータ信号置換手段によりＩＤ設定手段の設定値とコマンドデータを付加した伝送信号を、比較手段の比較結果が一致の場合は前記データ空きスペースに記憶手段に記憶されている画像データを付加した伝送信号を、それ以外のＩＤアドレスデータの場合は受信された伝送信号をそのまま、送信する伝送信号送信手段とを具備することを特徴とする画像入力伝送ユニット。
【請求項６】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、比較手段の比較結果が一致した時のみ描画処理を行なう記憶性を有する画像表示手段と、操作ボタン等の操作手段と、操作手段の操作内容をコマンドデータ化する符号化手段と、受信された伝送信号中のデータ空きスペースにＩＤ設定手段の設定値とコマンドデータを付加するデータ信号置換手段と、受信された伝送信号中のＩＤアドレスデータのＩＤデータがＩＤ設定範囲外の所定の値であった場合は前記データ空きスペースにデータ信号置換手段によりＩＤ設定手段の設定値とコマンドデータを付加した伝送信号を、それ以外のＩＤアドレスデータの場合は受信された伝送信号をそのまま、送信する伝送信号送信手段とを具備することを特徴とする画像表示装置。
【請求項７】
データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、画像取り込み手段と、画像取り込み手段で取り込んだ画像データを一旦記憶する記憶手段と、転送すべき画像データが記憶手段に蓄えられたことをコマンドデータ化する符号化手段と、受信された伝送信号中のデータ空きスペースにＩＤ設定手段の設定値とコマンドデータまたは記憶手段に記憶されている画像データを付加するデータ信号置換手段と、転送すべき画像データが記憶手段に蓄えられた状況下で受信された伝送信号中のＩＤアドレスデータのＩＤデータがＩＤ設定範囲外の所定の値であった場合は受信された伝送信号中の前記データ空きスペースにデータ信号置換手段によりＩＤ設定手段の設定値とコマンドデータを付加した伝送信号を、比較手段の比較結果が一致の場合は前記データ空きスペースに記憶手段に記憶されている画像データを付加した伝送信号を、それ以外のＩＤアドレスデータの場合は受信された伝送信号をそのまま、送信する伝送信号送信手段とを具備することを特徴とする画像入力装置。
【発明の詳細な説明】
【０００１】
【発明の属する技術分野】
本発明は、伝送ユニット、画像表示装置、画像入力装置および画像入出力システムに関するものであり、特に強誘電性液晶を用いた液晶表示器のような記憶性を有する表示手段を複数接続し各々の液晶表示器に画像を表示するとともに、画像入力装置からは画像を入力するシステムに関するものである。
【０００２】
【従来の技術】
従来、特願平７−０１３０４６号「表示装置」（以下、先願という）のように、メモリ効果を持つ強誘電性液晶を用いた複数台の液晶表示器（以下、ＦＬＣＤという）を１台のホストコンピュータに接続し、各々のＦＬＣＤに同一もしくは各々異なる画像を表示する画像表示システムが提案されている。
【０００３】
先ず、この先願の画像表示システムについて説明をする。
図９はシステム全体の接続図である。同図において、１はホストコンピュータ、１０１，１０２，１０３，１０４はＦＬＣＤ、２０１，２０２，２０３，２０４は分岐伝送ユニット、５００，５０１，５０２，５０３は伝送ケーブル、５１１，５１２，５１３，５１４は分岐ケーブルであり、ホストコンピュータ１からは、アドレスデータを先頭にした１６ビット画像データがパラレルで伝送ケーブル５００から出力される。
【０００４】
各分岐伝送ユニット２０１〜２０４はそれぞれ前段から伝送ケーブル５００〜５０３を経て入力された１６ビット画像データをそのまま後段の分岐伝送ユニットへ伝送ケーブル５０１〜５０３から出力する一方、各分岐伝送ユニットに設けられた不図示のアドレス設定ＳＷの設定値と１６ビット画像データの先頭に配置されたアドレスデータとを比較し、一致すれば各々分岐ケーブル５１１〜５１４へも１６ビット画像データを出力する。各ＦＬＣＤ２０１〜２０４はこの１６ビット画像データに基づいて表示面に画像を描画する。また、各ＦＬＣＤ２０１〜２０４はメモリ効果を有するため、新たに１６ビット画像データを受信し描画されるまでは、その直前の画像データを表示し続ける。
図９では４段の分岐伝送ユニットとそれに対応する４台のＦＬＣＤが接続されているが、接続段数に制約は特に無い。
【０００５】
ここで、ホストコンピュータ１から出力される１６ビット画像データとその先頭アドレスについて説明する。図２は１６ビット画像データの配列をイメージ的に描いた図であり、“ＤＡＴＡ０”〜“ＤＡＴＡ１５”の１６本のデータと、クロック“ＣＬＫ”およびアドレス／データ判別信号“ＡＨＤＬ”からなる１８本の信号からなる。
【０００６】
判別信号“ＡＨＤＬ”は通常“Ｌ”レベルであり、データの先頭でのみ“Ｈ”レベルとなり、その時データ“ＤＡＴＡ０”〜“ＤＡＴＡ１５”はアドレスデータを出力する。つまり、“Ｈ”レベルの“ＡＨＤＬ”はデータの先頭を示すだけでなく、“ＤＡＴＡ０”〜“ＤＡＴＡ１５”が画像データではなく、アドレスデータであることを示す信号でもある。
【０００７】
“ＤＡＴＡ０”〜“ＤＡＴＡ１５”にのせられたアドレスデータの内下位１１ビットの“ＤＡＴＡ０〜１０”はＦＬＣＤ２０１〜２０４の走査線番号のアドレスを示すものであり、上位５ビット“ＤＡＴＡ１１〜１５”が先に説明した設定ＳＷの設定値に相当するものである。また、先頭のアドレスデータに続いて１水平走査分の画像データが配置されている。
【０００８】
各分岐伝送ユニット２０１〜２０４は“ＡＨＤＬ”が“Ｈ”となった時、“ＤＡＴＡ１１〜１５”のみを監視し、設定ＳＷの設定値と一致しない場合はＦＬＣＤ１０１〜１０４への分岐ケーブル５１１〜５１４の“ＡＨＤＬ”をマスクし“Ｌ”を出力する。これを受けたＦＬＣＤは“ＡＨＤＬ”が“Ｌ”であるため“ＤＡＴＡ０”〜“ＤＡＴＡ１０”を走査線アドレスとは認識しない。よって、描画している画像の更新は行なわれず“ＤＡＴＡ０”〜“ＤＡＴＡ１５”にいかなるデータがのっていようと無視される。一方、後段への伝送ケーブル５０１〜５０３には、前段から入力された信号“ＡＨＤＬ”および“ＤＡＴＡ０”〜“ＤＡＴＡ１５”を何も加工せずそのまま出力する。
【０００９】
また、各分岐伝送ユニット２０１〜２０４は、“ＡＨＤＬ”が“Ｈ”となった時に“ＤＡＴＡ１１〜１５”が設定ＳＷの設定値と一致しているとみなした場合、ＦＬＣＤへの分岐出力の“ＡＨＤＬ”をマスクせずそのまま出力する。これを受けたＦＬＣＤは“ＡＨＤＬ”の“Ｈ”を受け、画像データのスタートを認識し描画画像の更新が行なわれる。なおこの時、後段への伝送ケーブル５０１〜５０３にも、前段から入力された信号を何も加工せずそのまま出力する。
【００１０】
【発明が解決しようとする課題】
この例では、どのような画像を表示させるかはホストコンピュータのみが采配している。例えばこのシステムを会議等で用いるケースを考えると、各ＦＬＣＤをモニタリングしている参加者の意思は反映しずらい。また、画像データを表示させる機能のみであり、画像入力装置もホストコンピュータのみに接続されることとなる。
【００１１】
本発明は、画像を表示および入力するシステムにおいて、ＦＬＣＤ等のディスプレイ（画像表示手段）またはその近傍から操作信号や画像データを入力できるようにすることを目的とする。
【００１２】
【課題を解決するための手段】
上記の目的を達成するため、本発明の分岐伝送ユニットは、データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、受信された伝送信号中の判別信号を比較手段の比較結果が一致の場合はＩＤアドレスデータであることを示す信号として出力し、不一致の場合はＩＤアドレスデータであることを隠す信号に置き換える判別信号置換手段と、判別信号置換手段の出力と受信された伝送信号中のデータ信号とを記憶性を有する画像表示手段に送出する伝送信号出力手段と、操作ボタン等の操作手段と、操作手段の操作内容をコマンドデータ化する符号化手段と、受信された伝送信号中のデータ空きスペースにＩＤ設定手段の設定値とコマンドデータを付加するデータ信号置換手段と、受信された伝送信号中のＩＤアドレスデータのＩＤデータがＩＤ設定範囲外の所定の値であった場合はデータ信号置換手段により前記データ空きスペースにＩＤ設定手段の設定値とコマンドデータを付加した伝送信号を、それ以外のＩＤアドレスデータの場合は受信された伝送信号をそのまま、送信する伝送信号送信手段とを具備することを特徴とする。
【００１３】
また、本発明の画像入力伝送ユニットは、データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、外部画像入力機器から入力された画像データを一旦記憶する記憶手段と、転送すべき画像データが記憶手段に蓄えられたことをコマンドデータ化する符号化手段と、受信された伝送信号中でＩＤ設定手段の設定値に応じた所定の位置のデータをコマンドデータもしくは記憶手段に記憶されている画像データに置き換えるか、または受信された伝送信号中のデータ空きスペースにＩＤ設定手段の設定値とコマンドデータもしくは記憶手段に記憶されている画像データを付加するデータ信号置換手段と、データ信号置換手段と、転送すべき画像データが記憶手段に蓄えられた状況下で受信された伝送信号中のＩＤアドレスデータのＩＤデータがＩＤ設定範囲外の所定の値であった場合はデータ信号置換手段により前記所定の位置のデータをコマンドデータに置き換えるか、前記データ空きスペースにＩＤ設定手段の設定値とコマンドデータを付加した伝送信号を、比較手段の比較結果が一致の場合は前記所定の位置のデータを記憶手段に記憶されている画像データに置き換えるか、前記データ空きスペースに前記記憶手段に記憶されている画像データを付加した伝送信号を、それ以外のＩＤアドレスデータの場合は受信された伝送信号をそのまま、送信する伝送信号送信手段とを具備することを特徴とする。
【００１４】
本発明の画像表示装置のひとつは、データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、比較手段の比較結果が一致した時のみ描画処理を行なう記憶性を有する画像表示手段と、操作ボタン等の操作手段と、操作手段の操作内容をコマンドデータ化する符号化手段と、受信された伝送信号中でＩＤ設定手段の設定値に応じた所定の位置のデータをコマンドデータに置き換えるか、または受信された伝送信号中のデータ空きスペースにＩＤ設定手段の設定値とコマンドデータを付加するデータ信号置換手段と、受信された伝送信号中のＩＤアドレスデータのＩＤデータがＩＤ設定範囲外の所定の値であった場合はデータ信号置換手段により前記所定の位置のデータをコマンドデータに置き換えるか、または付加したＩＤ設定手段の設定値とコマンドデータを付加した伝送信号を、それ以外のＩＤアドレスデータの場合は受信された伝送信号をそのまま、送信する伝送信号送信手段とを具備することを特徴とする。
【００１６】
本発明の画像入力装置は、データ信号とこのデータ信号が画像データであるかＩＤアドレスデータであるかを判別するための判別信号とからなる伝送信号の受信手段と、ＩＤ設定手段と、ＩＤ設定手段の設定値と受信された伝送信号中のＩＤアドレスデータのＩＤデータとを比較する比較手段と、画像取り込み手段と、画像取り込み手段で取り込んだ画像データを一旦記憶する記憶手段と、転送すべき画像データが記憶手段に蓄えられたことをコマンドデータ化する符号化手段と、受信された伝送信号中でＩＤ設定手段の設定値に応じた所定の位置のデータをコマンドデータまたは記憶手段に記憶されている画像データに置き換えるか、または受信された伝送信号中のデータ空きスペースにＩＤ設定手段の設定値とコマンドデータもしくは記憶手段に記憶されている画像データを付加するデータ信号置換手段と、転送すべき画像データが記憶手段に蓄えられた状況下で受信された伝送信号中のＩＤアドレスデータのＩＤデータがＩＤ設定範囲外の所定の値であった場合はデータ信号置換手段により前記所定の位置のデータをコマンドデータに置き換えるか、前記データ空きスペースにＩＤ設定手段の設定値とコマンドデータを付加した伝送信号を、比較手段の比較結果が一致の場合は前記所定の位置のデータを記憶手段に記憶されている画像データに置き換えるか、前記データ空きスペースに前記記憶手段に記憶されている画像データを付加した伝送信号を、それ以外のＩＤアドレスデータの場合は受信された伝送信号をそのまま、送信する伝送信号送信手段とを具備することを特徴とする。
【００１８】
【発明の実施の形態】
本発明の実施の一形態に係る画像表示および入力システムは、各伝送ユニットのＩＤデータと画像データを送出するホストコンピュータに、
前段の伝送ユニットあるいはホストコンピュータから入力されたユニットＩＤデータと画像データを後段の伝送ユニットあるいはホストコンピュータに出力し、入力されたユニットＩＤデータがその伝送ユニットの設定ＩＤと一致した場合には接続されているＦＬＣＤにも画像データを転送し、所定のユニットＩＤデータが入力された場合にはその伝送ユニットの設定ＩＤに応じて所定のデータ位置に、もしくは未使用のデータ位置に、ＦＬＣＤからの情報を付加した後、後段の伝送ユニットあるいはホストコンピュータに出力する、分岐伝送ユニットと、
前段の伝送ユニットあるいはホストコンピュータから入力されたユニットＩＤデータと画像データを後段に出力し、入力されたユニットＩＤデータがその伝送ユニットの設定ＩＤと一致した場合には接続されているスキャナーもしくはディジタルスチルビデオカメラ等の画像入力機器から入力された画像データを後段の伝送ユニットあるいはホストコンピュータに出力し、所定のユニットＩＤデータが入力された場合にはその伝送ユニットの設定ＩＤに応じて所定のデータ位置に、もしくは未使用のデータ位置に、その伝送ユニットからの情報を付加した後、後段に出力する、画像入力伝送ユニットとをそれぞれ任意の数、縦列（カスケード）接続し、最終段の分岐伝送ユニットあるいは画像入力伝送ユニットの出力をホストコンピュータに接続することにより、ＦＬＣＤからの情報や画像入力機器から入力された画像データをホストコンピュータに戻すようにしたものである。
【００１９】
【作用】
これにより、画像入力機器をホストコンピュータの近傍に限らず所望の位置に配置することができ、ディスプレイ操作者による画像入力が容易になる。また、ディスプレイ操作者の意思をホストコンピュータへ伝達することができる。
【００２０】
【実施例】
以下、図面を用いて本発明の実施例を説明する。
（第１の実施例）
図１は本発明の一実施例に係る画像表示および入力システムの接続例を示す図であり、図２は１６ビット画像データの配列をイメージ的に描いた図である。先ず図１を用いてシステムの概要を説明する。
図１において、１はホストコンピュータ、１０１，１０２，１０３はＦＬＣＤ、２０１，２０２，２０３は分岐伝送ユニット、３０１はスキャナー用画像入力伝送ユニット、３１０はスキャナー、３１１はスキャナー専用ケーブル、４０１はディジタルスチルビデオカメラ用画像入力伝送ユニット、４１０はディジタルスチルビデオカメラ、４１１はディジタルスチルビデオカメラ専用ケーブル、５００，５０１，５０２，５０３，５０４，５０５は伝送ケーブル、５１１，５１２，５１３は分岐ケーブルである。
【００２１】
ホストコンピュータ１からは、図２に示すようなＩＤアドレスデータが先頭でそれ以降は１６ビット画像データである１６ビットデータ信号がパラレルで伝送ケーブル５００から出力される。
【００２２】
各分岐伝送ユニット２０１〜２０３は前段の伝送ユニットあるいはホストコンピュータ１から入力された１６ビットデータ信号をそのまま後段の伝送ユニットあるいはホストコンピュータ１へ出力する一方、後述の５ビットからなるＩＤ設定ＳＷの設定値と１６ビットデータの先頭に配置されたＩＤアドレスデータの上位５ビットのユニットＩＤデータとを比較し、両者が一致すれば各々接続された分岐伝送ケーブル５１１〜５１３へも１６ビットデータをそのまま出力する。各ＦＬＣＤ２０１〜２０３はこの１６ビット画像データに基づいて表示面に画像を描画する。このＩＤ設定ＳＷは“１”から“３１”の間の任意の値を設定することができる。また、各ＦＬＣＤ２０１〜２０３はメモリ効果を有するため、新たに１６ビット画像データを受信して画像データが更新されるまでは、その直前の画像データを表示し続ける。
【００２３】
ホストコンピュータは定期的に、ユニットＩＤデータとして“０”を出力する。操作者は分岐伝送ユニットから「Ｙｅｓ，Ｎｏ，Ｕｐ，Ｄｏｗｎ」のような簡単な意思を図１には不図示の操作ＳＷの操作により入力できる。操作ＳＷが操作された時、分岐伝送ユニットはホストコンピュータからユニットＩＤデータ“０”が出力されるのを待つ。そしてユニットＩＤデータ“０”を受け取った時に操作ＳＷの内容をコマンドコード化して、ＩＤ設定ＳＷに対応した１６ビットデータ内の所定位置にのせて後段に送る。このコマンドデータは最終的に伝送ケーブル５０５を通じて、ホストコンピュータ１に送られることになる。
【００２４】
また、スキャナー用画像入力伝送ユニット３０１およびディジタルスチルビデオカメラ用画像入力伝送ユニット４０１はそれぞれスキャナー３１０およびディジタルスチルビデオカメラ４１０に専用ケーブル３１１および４１１で接続されており、スキャナー用画像入力伝送ユニット３０１およびディジタルスチルビデオカメラ用画像入力伝送ユニット４０１に設けられた不図示の操作ＳＷの操作により、それぞれスキャナー３１０およびディジタルスチルビデオカメラ４０１から画像データを吸い上げ、後述のホストコンピュータ１が出力する画像データと同じフォーマットに変換し、不図示のメモリに一旦蓄える。
【００２５】
スキャナー用画像入力伝送ユニット３０１およびディジタルスチルビデオカメラ用画像入力伝送ユニット４０１も各々不図示のＩＤ設定ＳＷを持ち、前段からのユニットＩＤデータが“０”以外でかつ、ＩＤ設定ＳＷの設定値でもない時には、前段から入力された１６ビットデータをそのまま後段に出力する。
【００２６】
もし、メモリ内に転送すべき画像データが蓄えられている時には、分岐伝送ユニットにおけるコマンドコードの送出と同様に画像データを出力したい旨を後段に送り、ホストコンピュータ１に伝える。
【００２７】
ホストコンピュータ１がこのコマンドデータを受け取るとデータを吸い上げるために該当する画像入力伝送ユニットのユニットＩＤデータを１６ビットデータ信号として出力するので、各画像入力伝送ユニット３０１，４０１はこれを待つ。つまり今度は、ＩＤ設定ＳＷの設定値と同じユニットＩＤデータが入力されるのを待つ。
【００２８】
ユニットＩＤデータが一致した場合には、前述のメモリから画像データを読み出し、１６ビット画像データを後段に出力する。この１６ビット画像データも最終的に伝送ケーブル５０５を通じて、ホストコンピュータ１に送られることになる。ホストコンピュータ１は必要に応じて、受け取った画像データをＦＬＣＤ１０１〜１０３に描画させるため、伝送ケーブル５００に送出する。
【００２９】
ここで、ホストコンピュータ１から出力される１６ビット画像データとＩＤアドレスデータについて説明する。図２において、“ＤＡＴＡ０”〜“ＤＡＴＡ１５”の１６本のデータが１６ビットデータ信号であり、伝送信号は、これとクロック“ＦＣＬＫ”および判別信号“ＡＨＤＬ”の合計１８本の信号からなる。
【００３０】
“ＡＨＤＬ”は通常“Ｌ”であり、データの先頭でのみ“Ｈ”となり、その時“ＤＡＴＡ０”〜“ＤＡＴＡ１５”はＩＤアドレスデータを出力する。つまり、レベル“Ｈ”の“ＡＨＤＬ”はデータの先頭を示すだけでなく、１６ビットデータ信号が画像データではなくＩＤアドレスデータであることを示す信号でもある。
【００３１】
“ＤＡＴＡ０”〜“ＤＡＴＡ１５”にのせられたＩＤアドレスデータの内下位１１ビット“ＤＡＴＡ０〜１０”はＦＬＣＤ２０１〜２０４の走査線アドレスを示すものであり、上位５ビット“ＤＡＴＡ１１〜１５”は先に説明したユニットＩＤデータに相当するものである。
この先頭に配置されたＩＤアドレスデータに続いて１水平走査分の画像データが配置されており、これが１セット分のデータである。
【００３２】
次に、各ユニットの構成について説明する。
先ず、図３は分岐伝送ユニットの内部回路のブロック図であり、図１における分岐伝送ユニット２０１〜２０４の内の１台に相当する。
【００３３】
図３において、２１０は前段伝送ユニットあるいはホストコンピュータからの伝送ケーブル、２１１は差動伝送レシーバ、２２０はＦＬＣＤへの分岐ケーブル、２３０は次段ユニットあるいはホストコンピュータへの伝送ケーブル、２２１はＦＬＣＤへ伝送信号を送出する伝送信号出力手段としての差動伝送ドライバ、２３１は後段へ伝送信号を送信する伝送信号送信手段としての差動伝送ドライバ、２１２，２１３，２１４，２２２，２２３，２２４，２３２，２３３，２３４はＤタイプ−フリップフロップ（以後、Ｄ−Ｆ／Ｆという）、２４０は伝送ユニットを制御し、かつ符合化手段としても機能するＣＰＵ、２４１は比較手段としてのデジタルコンパレータ、２４２はＩＤ設定手段としての設定ＳＷ、２４３はインバータ、２４４はＯＲゲート、２４５は判別信号置換手段としてのＡＮＤゲート、２４６，２４７はデータ信号置換手段としてのデータ切り換えＳＷ、２４８は操作手段としての操作ＳＷである。
【００３４】
前段からの伝送ケーブル２１０はツイストペアケーブルで“ＤＡＴＡ０”から“ＤＡＴＡ１５”までの１６本のデータと、判別信号“ＡＨＤＬ”およびクロック“ＦＣＬＫ”の合計１８本の信号が差動伝送される。これを差動伝送レシーバ２１１で受けた後、“ＦＣＬＫ”以外の各信号線は先ず“ＦＣＬＫ”で、Ｄ−Ｆ／Ｆ２１２〜２１４によりラッチされる。
【００３５】
この図において、“ＤＡＴＡ１１”から“ＤＡＴＡ１５”までの５本のデータをラッチするためのＤ−Ｆ／Ｆ２１２は１ケで表わされているが、実際には５ケのＤ−Ｆ／Ｆによってラッチされる。“ＤＡＴＡ０”から“ＤＡＴＡ１０”までの１１本のデータに関しても同様に、Ｄ−Ｆ／Ｆ２１３は１１ケをまとめて表現してある。
【００３６】
ここでラッチされた各信号は、Ｄ−Ｆ／Ｆ２３２〜２３４により再びラッチされた後、クロック“ＦＣＬＫ”とともに差動伝送ドライバ２３１により差動信号で次段のユニットあるいはホストコンピュータヘ伝送ケーブル２３０を経て伝送される。後段へは、前段から入力された信号を何も加工せずそのまま出力することになる。
【００３７】
また、Ｄ−Ｆ／Ｆ２１２でラッチされた“ＤＡＴＡ１１”から“ＤＡＴＡ１５”までの上位５ビットはユニットＩＤデータであり、デジタルコンパレータ２４１にも入力され設定ＳＷ２４２の設定値と比較される。ユニットＩＤデータとＩＤ設定ＳＷ２４２の設定値が一致した場合、 比較結果として“Ｈ”が出力され、ＣＰＵ２４０を介してＡＮＤゲート２４５に送られる。ＡＮＤゲート２４５のもう一方の入力端子はＤ−Ｆ／Ｆ２１４でラッチされた“ＡＨＤＬ”が接続されており、デジタルコンパレータ２４１の比較結果に基づいて“ＡＨＤＬ”をマスキング処理をする。つまり、“ＤＡＴＡ１１”から“ＤＡＴＡ１５”までの上位５ビットに振り分けられたユニットＩＤデータとＩＤ設定ＳＷ２４２の設定値が一致した場合のみ“ＡＨＤＬ”を通過させ、 不一致の場合は“Ｌ”にマスクする。Ｄ−Ｆ／Ｆ２１２と２１３でラッチされた“ＤＡＴＡ０”から“ＤＡＴＡ１５”までの各データ信号と、 ＡＮＤゲート２４５でマスキング処理された“ＡＨＤＬ”は各々、Ｄ−Ｆ／Ｆ２２２〜２２４により、 “ＦＣＬＫ”で再度ラッチされる。
【００３８】
なお、ここでもＤ−Ｆ／Ｆ２２２および２２３は複数個のＤ−Ｆ／Ｆをまとめて表現してあることは言うまでもない。
【００３９】
Ｄ−Ｆ／Ｆ２２２〜２２４でラッチされた各信号と“ＦＣＬＫ”は差動伝送ドライバ２２１により差動信号でＦＬＣＤへ分岐ケーブル２２０を経て伝送される。
【００４０】
分岐伝送ユニット内でユニットＩＤデータとＩＤ設定ＳＷの設定値の不一致により“Ｌ”にマスキングされた“ＡＨＤＬ”を受けたＦＬＣＤは、“ＡＨＤＬ”が“Ｌ”であるためその時のデータをＩＤアドレスデータとは認識しない。よって“ＤＡＴＡ１１〜１５”にいかなるデータがのっていようと無視され、 描画している画像の更新は行なわれない。
【００４１】
おおもとのホストコンピュータ１は、各伝送ユニットからのメッセージを得るために、ＩＤ設定には無いユニットＩＤデータ“０”を定期的に出力している。操作ＳＷ２４８が操作された場合、 先ずＣＰＵ２４０がこれを検知し、 ユニットＩＤデータ“０”を待つ。インバータ２４３とＯＲゲート２４４がこれを検出するためのゲートであり、“ＡＨＤＬ”が“Ｈ”でかつ“ＤＡＴＡ１１”から“ＤＡＴＡ１５”までの５ビット全てが“Ｌ”になった時に、これをＣＰＵ２４０に知らせる。
【００４２】
ＣＰＵ２４０がユニットＩＤデータ“０”を検知すると、ＩＤ設定ＳＷの設定値が“ｎ”である場合、ユニットＩＤデータ“０”からｎ番目のデータ位置に、 操作ＳＷの操作内容をコマンドデータ化してのせる。その操作を行なうのがデータ切り換えＳＷ２４６，２４７である。このコマンドとしては“ＤＡＴＡ０”から“ＤＡＴＡ１５”までの１６ビットを使って複数のコマンドを設定可能である。
【００４３】
図４はコマンドデータをのせる位置を表わしたチャートであり、ＩＤ設定値が“２１”であった場合の例である。ユニットＩＤデータから２１番目の各データ線“ＤＡＴＡ０”〜“ＤＡＴＡ１５”のハッチングしてある部分がコマンドをのせる位置である。
【００４４】
データ切り換えＳＷ２４６，２４７により所定の位置にコマンドデータをのせたデータはＤ−Ｆ／Ｆ２３２〜２３４でラッチされた後、“ＦＣＬＫ”とともに差動伝送ドライバ２３１により差動信号で次段伝送ユニットあるいはホストコンピュータヘ伝送ケーブル２３０を経て伝送される。このコマンドデータは最終的にホストコンピュータ１に伝送される。
【００４５】
ホストコンピュータ１はユニットＩＤデータ“０”から何番目のデータ位置にコマンドがあるかから、コマンドを発信した伝送ユニットの設定ＩＤが判別できる。
【００４６】
続いてスキャナー用画像入力伝送ユニット３０１およびディジタルスチルビデオカメラ用画像入力伝送ユニット４０１について説明する。図５はスキャナー用画像入力伝送ユニットもしくはディジタルスチルビデオカメラ用画像入力伝送ユニットの内部回路のブロック図であり、 この両者は、 基本的な構成に差は無いので、まとめて説明する。
【００４７】
図５において、３４１は画像データ入力端子、３４２は記憶手段としてのメモリであり、 先に説明した分岐伝送ユニットにおけると同一の機能を有するものは同一の番号で示されている。
【００４８】
前段伝送ユニットあるいはホストコンピュータから伝送ケーブル２１０はツイストペアケーブルで“ＤＡＴＡ０”から“ＤＡＴＡ１５”までの１６本のデータと、判別信号“ＡＨＤＬ”およびクロック“ＦＣＬＫ”の合計１８本の信号が差動伝送され、 これを差動伝送レシーバ２１１で受けた後、“ＦＣＬＫ”以外の各信号線は先ず“ＦＣＬＫ”で、Ｄ−Ｆ／Ｆ２１２〜２１４によりラッチされ、 さらにＤ−Ｆ／Ｆ２３２〜２３４によりラッチされた後、“ＦＣＬＫ”とともに差動伝送ドライバ２３１により差動信号で次段伝送ユニットあるいはホストコンピュータヘ伝送ケーブル２３０を経て伝送される所までは、先の分岐伝送ユニットと同じである。
【００４９】
画像入力伝送ユニットでは、 入力端子としてこの差動伝送レシーバ２１１以外に画像データ入力端子３４１があり、 図１のスキャナー専用ケーブル３１１もしくはディジタルスチルビデオカメラ専用ケーブル４１１と接続される。
【００５０】
操作者がこれら外部入力機器から画像データを取り込みたい場合、 操作ＳＷ２４８を操作することにより、 画像データ入力端子３４１から入力された画像データは一旦メモリ３４２に書き込まれる。
【００５１】
ＣＰＵ２４０は、 入力機器から画像データを取り込み、 メモリ３４２への書き込みが終了した時点でホストコンピュータ１からのユニットＩＤデータ“０”を待つ。図３の分岐伝送ユニットにおける操作ＳＷ２４８に対するコマンドデータの場合と同様に、ＩＤ設定ＳＷの設定値に対応した“ＤＡＴＡ０”から“ＤＡＴＡ１５”までの所定の位置に「転送したいデータがある」旨のコマンドデータをのせ、 次段伝送ユニットあるいはホストコンピュータヘ伝送ケーブル２３０を経て伝送し、最終的にホストコンピュータ１に伝える。
【００５２】
ホストコンピュータ１は「転送したいデータがある」旨のコマンドを受け取ると、該当ユニットＩＤデータとそれに続けて必要なデータ量の空きスペースを設けて伝送する。
【００５３】
スキャナー用画像入力伝送ユニットもしくはディジタルスチルビデオカメラ用画像入力伝送ユニット内のＣＰＵ２４０は「転送したいデータがある」旨のコマンドを発した後、 自分のユニットＩＤデータが送られて来るのを待つ。そして自分のユニットＩＤデータが送られて来た際、 それに引き続きデータ切り換えＳＷ２４６，２４７を切り換え、“ＦＣＬＫ”に同期してメモリ３４２に書き込まれているデータを読み出し、“ＤＡＴＡ０”〜“ＤＡＴＡ１５”の各データラインにのせる。
【００５４】
メモリ３４２のデータがのせられた“ＤＡＴＡ０”〜“ＤＡＴＡ１５”の各データラインの信号と“ＡＨＤＬ”はＤ−Ｆ／Ｆ２３２〜２３４でラッチされた後、“ＦＣＬＫ”とともに差動伝送ドライバ２３１により差動信号で次段ユニットあるいはホストコンピュータヘ伝送ケーブル２３０を経て伝送される。このようにして、 メモリ３４２のデータは最終的にホストコンピュータ１に伝送される。
【００５５】
なお、 図１では、３台のＦＬＣＤと、スキャナーおよびディジタルスチルビデオカメラがそれぞれ１台ずつとが接続されているが、伝送ユニットＩＤデータの制約である３１台以内であれば、 接続機器の数は何台であっても差し支えない。また、 スキャナーおよびディジタルスチルビデオカメラ等の画像入力伝送ユニットではＩＤ設定値の重複はできないが、ＦＬＣＤについては操作ＳＷの使用に制限をかければＩＤ設定値の重複も可能であり、 その場合同一のＩＤ設定がなされたＦＬＣＤは常に同一の画像が表示される。また、図３の分岐伝送ユニットから操作ＳＷ２４８、インバータ２４３、ＯＲゲート２４４およびデータ切り換えＳＷ２４６，２４７を除去したもの、またはそのような分岐伝送ユニットを内蔵した画像表示装置は何らの制限も無しに他の分岐伝送ユニットまたは図８に示すような画像表示装置とのＩＤ設定値の重複が可能である。
【００５６】
（第２の実施例）
図６は本発明の第２の実施例による、 コマンドデータの挿入位置を示すチャートであり、 システムの接続例や、各ユニット内の回路ブロックの構成は第１の実施例のそれと変わらない。
【００５７】
第１の実施例では、 各伝送ユニットからコマンドを発する場合、 ユニットＩＤデータからｎ番目の位置に１６ビットデータをパラレルに発信していたが、 この第２の実施例の場合、 図６の各データ線に番号を付けて示したように、 設定ＩＤ値に応じた所定の位置にシリアルで送信する。例えば設定ＩＤ値が“２１”の場合、“ＤＡＴＡ４”の１７番目から３２番目までのハッチングされた、１６クロック分の位置にコマンドデータをのせる。
【００５８】
これをホストコンピュータ１が受け取った場合も、 コマンド発信源の伝送ユニットＩＤデータは容易に判断できる。そして第１の実施例と同様に画像入力伝送ユニットに対しては、 該当ＩＤデータとそれに続く空きスペースをホストコンピュータ１が発すれば、 画像入力伝送ユニットはその空きスペースに画像入力機器からの画像データをのせてホストコンピュータ１に戻す。
【００５９】
この場合、 伝送ユニットの接続台数の制限やＩＤ設定の重複についても第１の実施例と同様であることは言うまでもない。
【００６０】
（第３の実施例）
図７は本発明の第３の実施例による、コマンドデータの挿入位置を示すチャートであり、システムの接続例や、各ユニット内の回路ブロックの構成は第１の実施例のそれと変わらない。
【００６１】
第１の実施例では、各伝送ユニットからコマンドを発する場合、ユニットＩＤデータからｎ番目の位置に１６ビットデータをパラレルに発信していたが、この例の場合、図７の各データ線に番号を付けて示したように、未使用エリア、つまりデータ信号が全て“０”である位置（データ空白位置）を探し、上位５ビットには設定ＩＤ値を、下位１１ビットにはコマンドデータをのせる。
【００６２】
例えば図７で設定ＩＤ値が“２１”の場合、ＩＤアドレスデータ直後の“ＤＡＴＡ１１”から“ＤＡＴＡ１５”までの上位５ビットは“５”であり、 これと同時に伝送されて来た“ＤＡＴＡ０”から“ＤＡＴＡ１０”までの下位１１ビットはユニットＩＤが“５”である他のユニットから発せられたコマンドデータである。同様に２番目、３番目はそれぞれユニットＩＤが“７”、“１０”の他のユニットによるものである。そしてハッチングされた４番目の上位５ビットは“０”であり、 未使用エリアであることを示す。ホストコンピュータに伝送すべきコマンドがある場合は、 この位置の上位５ビットに自分のユニットＩＤ“２１”を、下位１１ビットにコマンドデータをのせて次段へ送る。
【００６３】
これをホストコンピュータ１が受け取った場合も、コマンド発信源の伝送ユニットＩＤデータは容易に判断できる。そして第１の実施例と同様に画像入力伝送ユニットに対しては、該当ＩＤデータとそれに続く空きスペースをホストコンピュータ１が発すれば、画像入力伝送ユニットはその空きスペースに画像入力機器からの画像データをのせてホストコンピュータ１に戻す。
【００６４】
この場合、伝送ユニットの接続台数の制限やＩＤ設定の重複についても第１の実施例と同様であることは言うまでも無い。
【００６５】
（第４の実施例）
図８は本発明の第４の実施例であり、 同図において、１１１，１１２，１１３は伝送ユニット内蔵のＦＬＣＤ、３２０，４２０もそれぞれ、 伝送ユニット内蔵のスキャナーおよびディジタルスチルビデオカメラであり、 それ以外で第１の実施例として揚げた図１と同等の機能を有するものは同一の番号が振り当ててある。
【００６６】
この例ではそれぞれの伝送ユニットをＦＬＣＤ、スキャナーおよびディジタルスチルビデオカメラと一体化しただけであり、 動作上特に差は無い。また、 第４の実施例に示した伝送ユニット内蔵のスキャナーおよびディジタルスチルビデオカメラは、 図１に示したシステムと混在して接続しても構わない。
【００６７】
【発明の効果】
以上のように本発明によれば、ＦＬＣＤ等のディスプレイの操作者の近傍に画像入力機器が配置しやすくなるとともに、 操作者の意思をホストコンピュータに伝えることができるようになる。
【図面の簡単な説明】
【図１】  本発明の第１〜３の実施例に係る画像表示および入力システムの接続例を示す図である。
【図２】  １６ビット画像データの配列をイメージ的に描いた図である。
【図３】  図１における分岐伝送ユニットの内部回路のブロック図である。
【図４】  図１のシステムにおける１６ビット画像データの配列をイメージ的に描いた図である。
【図５】  図１における画像入力伝送ユニットの内部回路のブロック図である。
【図６】  本発明の第２の実施例に係る１６ビット画像データの配列をイメージ的に描いた図である。
【図７】  本発明の第３の実施例に係る１６ビット画像データの配列をイメージ的に描いた図である。
【図８】  本発明の第４の実施例に係る画像表示および入力システムの接続例を示す図である。
【図９】  従来例の画像表示および入力システムの接続例を示す図である。
【符号の説明】
１：ホストコンピュータ、１０１，１０２，１０３：強誘電性液晶ディスプレイ装置、１１１，１１２，１１３：伝送ユニット内蔵の強誘電性液晶ディスプレイ装置、３０１：スキャナー用画像入力伝送ユニット、３２０：伝送ユニット内蔵のスキャナー、４０１：ディジタルスチルビデオカメラ用画像入力伝送ユニット、４２０：ディジタルスチルビデオカメラ。
【図１】
0003818617.tif 000002
【図２】
0003818617.tif 000003
【図３】
0003818617.tif 000004
【図４】
0003818617.tif 000005
【図５】
0003818617.tif 000006
【図６】
0003818617.tif 000007
【図７】
0003818617.tif 000008
【図８】
0003818617.tif 000009
【図９】
0003818617.tif 000010